(57)【要約】    【課題】  身体における膝や肘、肩、腰、脚、手首、足首などの特定患部へ、圧迫と温熱並びに振動の３種が複合したマッサージ作用を集中的に与える。  【解決手段】  身体の特定患部（Ｍ）へ密封状態に被着一体化した包袋（Ｐ）と、温水貯溜槽（Ｔ）とを温水循環回路（Ｒ）によって接続配管すると共に、その温水循環回路（Ｒ）の途中から取り入れた空気による気泡混じりの温水（Ｆ）を、上記包袋（Ｐ）自身の中空内部又はその包袋（Ｐ）と患部（Ｍ）との相互間隙へ圧送して、その気泡混じりの温水（Ｆ）による圧迫、温熱並びに振動の３種が複合したマッサージ作用を、上記患部（Ｍ）へ一挙同時に付与する。【選択図】  図１
2005245707.tif 000002
【特許請求の範囲】
【請求項１】
身体の特定患部（Ｍ）へ密封状態に被着一体化した包袋（Ｐ）と、温水貯溜槽（Ｔ）とを温水循環回路（Ｒ）によって接続配管すると共に、
その温水循環回路（Ｒ）の途中から取り入れた空気による気泡混じりの温水（Ｆ）を、上記包袋（Ｐ）自身の中空内部又はその包袋（Ｐ）と患部（Ｍ）との相互間隙へ圧送して、
その気泡混じりの温水（Ｆ）による圧迫、温熱並びに振動の３種が複合したマッサージ作用を、上記患部（Ｍ）へ一挙同時に付与することを特徴とするマッサージ方法。
【請求項２】
気泡混じりの温水（Ｆ）中に占める気泡の容積比率を、約５％〜約８０％に設定することを特徴とする請求項１記載のマッサージ方法。
【請求項３】
温水貯溜槽（Ｔ）と、身体の特定患部（Ｍ）へ着脱自在に被着使用される包袋（Ｐ）と、その包袋（Ｐ）と温水貯溜槽（Ｔ）とを接続配管する温水循環回路（Ｒ）と、その温水循環回路（Ｒ）における温水貯溜槽（Ｔ）から上記包袋（Ｐ）へ向かう上流側の途中に、順次介挿設置された温水循環ポンプ（１３）並びに気泡混じり温水生成器（１５）とを備え、
その気泡混じり温水生成器（１５）により生成された気泡混じりの温水（Ｆ）を、上記患部（Ｍ）へ密封状態に被着一体化した包袋（Ｐ）の中空内部又はその包袋（Ｐ）と患部（Ｍ）との相互間隙へ圧送して、
その気泡混じりの温水（Ｆ）による圧迫、温熱並びに振動の３種が複合したマッサージ作用を、上記患部（Ｍ）へ集中的に付与するように設定したことを特徴とするマッサージ装置。
【請求項４】
気泡混じり温水生成器（１５）をエゼクターとして、そのノズル（２３）から噴出する温水（Ｆ）の牽引作用により、温水貯溜槽（Ｔ）内の暖気を吸入し、その気泡混じり温水（Ｆ）をディフューザー（２５）から吐出するように形成したことを特徴とする請求項３記載のマッサージ装置。
【請求項５】
気泡混じり温水生成器（１５）への空気取入れ量調整ダンパー（２８）と、その気泡混じり温水生成器（１５）からの気泡混じり温水吐出側に温水流量調整弁（３１）と、包袋（Ｐ）から温水貯溜槽（Ｔ）へ向かう下流側に患部圧迫用圧力調整弁（３４）とを各々介挿設置し、
上記空気取入れ量調整ダンパー（２８）と気泡混じり温水流量調整弁（３１）並びに圧力調整弁（３４）の開度を、その何れも人為的又は自働電気的に調整制御するように設定したことを特徴とする請求項３記載のマッサージ装置。
【請求項６】
温水貯溜槽（Ｔ）から包袋（Ｐ）へ向かう上流側の途中に温度センサー（１２）を介挿設置し、これからの検知出力信号に基いて、温水（Ｆ）を使用者の体温よりも高い一定温度に維持制御するように設定したことを特徴とする請求項３記載のマッサージ装置。
【請求項７】
包袋（Ｐ）を伸縮性に富む素材の薄肉な内袋（５）又は内膜（５ａ）と、その膨張圧力に耐える強い素材の厚肉な外膜（６）（６ａ）とから二重構造化して、
上記内袋（５）自身の中空内部又は内膜（５ａ）と外膜（６）（６ａ）との相互間隙を、気泡混じりの温水流路（Ｓ）として気密・水密状態に区成したことを特徴とする請求項３記載のマッサージ装置。
【発明の詳細な説明】
【技術分野】
【０００１】
本発明は気泡混じりの温水をマッサージ源として、身体における膝や肘、肩、腰、脚、手首、足首などの目的部位（患部）を集中的に効率良くマッサージする方法と、そのための装置に関する。
【背景技術】
【０００２】
気泡混じりの温水をマッサージ源に利用したマッサージ装置としては、特許第２７１０８１０号や特開昭５９−１３５０５８号、特開２００２−１５３５３７号が提案されており、これらが本発明に最も近似する公知技術であると考えられる。
【０００３】
他方、身体の上記患部を集中的にマッサージするため、その患部へ被着使用される包袋としても、特開平６−２４５９４９号や実公昭５９−４２０３０号に開示されている。
【特許文献１】特許第２７１０８１０号公報
【特許文献２】特開昭５９−１３５０５８号公報
【特許文献３】特開２００２−１５３５３７号公報
【特許文献４】特開平６−２４５９４９号公報
【特許文献５】実公昭５９−４２０３０号公報
【特許文献６】特開昭６２−１５９６５０号公報
【特許文献７】特許第３０１２７８０号公報
【発明の開示】
【発明が解決しようとする課題】
【０００４】
ところが、上記特許第２７１０８１０号と特開昭５９−１３５０５８号に開示の発明は、何れも浴槽内の浴湯へ気泡混じりの温水をノズルから噴射させるものであり、その噴射圧力が浴槽内への言わば大気放散型として逃げてしまうため、身体の患部へ圧迫力となるマッサージ作用を集中的に付与することができない。
【０００５】
入浴者としては、あくまでも噴霧流による漠然的な叩打作用と温熱効果を受けるに過ぎず、それにもまして全身の脱衣を要するほか、使用場所を自由に変えることができないこととも相俟って、未だ不便である。
【０００６】
この点、特開２００２−１５３５３７号の発明は上記マッサージ装置の機能を、身体の一部専用に特化した足温浴器であり、全身の脱衣を伴わず、使用場所を変え得るとしても、依然気泡混じりの温水をジェット噴流として、足へ投射させるに過ぎないため、やはり圧迫力となる刺激を集中的に付与することは不可能である。
【０００７】
又、上記特開平６−２４５９４９号の温冷マッサージ治療装置に使用される温冷パック（５）では、これを膨張させる空気袋（４５）と、温冷水循環路（４６）とが別個独立しており、その空気袋（４５）の圧迫力が身体の患部に作用するとしても、これは患部へ被着一体化させるための固定手段であって、その冷水や温水が圧迫力を発揮するわけではない。しかも、冷水での冷却効果又は温水での温熱効果を期待しているに過ぎず、気泡混じりの温水がマッサージ源として利用されてもいない。
【０００８】
更に、実公昭５９−４２０３０号に記載の空圧式マッサージ器用圧迫袋は、その文字通りにコンプレッサー（６）からの圧縮空気を受け入れて、その空気の圧迫力のみを足へ作用させるものであるに過ぎず、やはり気泡混じりの温水がマッサージ源をなしていない。
【０００９】
要するに、上記公知技術のマッサージ装置では仮令気泡混じりの温水がマッサージ源をなしているとしても、これによる圧迫と振動並びに温熱のうち、その何れか１種又は２種の作用しか発揮されていないため、未だ患部の集中的なマッサージ効果に劣る問題がある。
【課題を解決するための手段】
【００１０】
本発明はこのような課題の改良を目的としており、その目的を達成するために、請求項１ではマッサージ方法としての構成上、身体の特定患部へ密封状態に被着一体化した包袋と、温水貯溜槽とを温水循環回路によって接続配管すると共に、
【００１１】
その温水循環回路の途中から取り入れた空気による気泡混じりの温水を、上記包袋自身の中空内部又はその包袋と患部との相互間隙へ圧送して、
【００１２】
その気泡混じりの温水による圧迫、温熱並びに振動の３種が複合したマッサージ作用を、上記患部へ一挙同時に付与することを特徴としている。
【００１３】
又、請求項２では気泡混じりの温水中に占める気泡の容積比率を、約５％〜約８０％に設定することを特徴としている。
【００１４】
他方、請求項３では上記方法の実施に供するマッサージ装置として、その構成上温水貯溜槽と、身体の特定患部へ着脱自在に被着使用される包袋と、その包袋と温水貯溜槽とを接続配管する温水循環回路と、その温水循環回路における温水貯溜槽から上記包袋へ向かう上流側の途中に、順次介挿設置された温水循環ポンプ並びに気泡混じり温水生成器とを備え、
【００１５】
その気泡混じり温水生成器により生成された気泡混じりの温水を、上記患部へ密封状態に被着一体化した包袋の中空内部又はその包袋と患部との相互間隙へ圧送して、
【００１６】
その気泡混じりの温水による圧迫、温熱並びに振動の３種が複合したマッサージ作用を、上記患部へ集中的に付与するように設定したことを特徴としている。
【００１７】
又、請求項４では気泡混じり温水生成器をエゼクターとして、そのノズルから噴出する温水の牽引作用により、温水貯溜槽内の暖気を吸入し、その気泡混じり温水をディフューザーから吐出するように形成したことを特徴としている。
【００１８】
請求項５では、気泡混じり温水生成器への空気取入れ量調整ダンパーと、その気泡混じり温水生成器からの気泡混じり温水吐出側に温水流量調整弁と、包袋から温水貯溜槽へ向かう下流側に患部圧迫用圧力調整弁とを各々介挿設置し、
【００１９】
上記空気取入れ量調整ダンパーと気泡混じり温水流量調整弁並びに圧力調整弁の開度を、その何れも人為的又は自働電気的に調整制御するように設定したことを特徴としている。
【００２０】
請求項６では、温水貯溜槽から包袋へ向かう上流側の途中に温度センサーを介挿設置し、これからの検知出力信号に基いて、温水を使用者の体温よりも高い一定温度に維持制御するように設定したことを特徴としている。
【００２１】
更に、請求項７では包袋を伸縮性に富む素材の薄肉な内袋又は内膜と、その膨張圧力に耐える強い素材の厚肉な外膜とから二重構造化して、
【００２２】
上記内袋自身の中空内部又は内膜と外膜との相互間隙を、気泡混じりの温水流路として気密・水密状態に区成したことを特徴としている。
【発明の効果】
【００２３】
請求項１の上記構成によれば、身体の特定患部を覆う包袋（マッサージ端末）自身の中空内部へ圧送された気泡混じり温水の圧力が、その包袋を介して患部へ伝播し、その患部を圧迫すると同時に、気泡と温水が交互に且つ連続して患部へ衝突し、その患部を打撃作用する。しかも、温水それ自体の温熱作用も患部に波及する。
【００２４】
そのため、このような圧迫と振動並びに温熱の３種が複合した相乗的なマッサージ作用として、身体の特定された膝や肘、肩、腰、脚、手首、足首、足などの患部へ効率良く付与される結果となり、その患部の痛みや痺れ、懲り、浮腫み、疲労などの諸症状を速やかに緩和することができる。
【００２５】
その場合、身体の患部とこれに被着一体化された包袋との内外相互間隙へ、上記気泡混じりの温水を圧送する方法によれば、その圧迫と振動並びに温熱の３種が複合したマッサージ作用を、上記患部へ直かに付与することができ、その効果がますます昂まるほか、温水中へ薬効のある温泉成分を溶かし込むことも可能となる。
【００２６】
特に、請求項２の構成を採用するならば、上記包袋に流入する温水の平均質量を減少させることなく、粗密変化に富む圧力をその患部の圧迫や振動として付与することができるため、その患部のマッサージ効果が一層向上する。
【００２７】
他方、請求項３の上記構成を備えたマッサージ装置によれば、そのマッサージ端末の包袋を身体の患部へ着脱自在に便利良く被着使用できると共に、包袋自身の狭く限定された中空内部又はその包袋と患部との相互間隙へ、気泡混じりの温水を圧送するようになっているため、その患部に対する圧迫や振動のマッサージ作用がいたづらに逃げず、その作用を効率良く集中的に付与し得るのである。
【００２８】
又、上記包袋と温水貯溜槽とは温水循環回路を介して接続配管されており、その温水貯溜槽から包袋へ向かう上流側の途中に、温水循環ポンプと気泡混じり温水生成器が順次介挿設置されているため、温水の反復的な有効利用とその途中での空気取り入れによる気泡混じり温水の合理的な生成に役立つ。
【００２９】
特に、請求項４の構成を採用するならば、上記効果がますます向上するばかりでなく、気泡混じり温水生成器のエゼクターへ温水貯溜槽内の暖気を吸入するようになっているため、その気泡混じり温水の温度が低下することを極力防止できる効果もある。
【００３０】
請求項５の構成を採用するならば、温水の流量と圧力並びに気泡混じり温水生成器への空気取入れ量を調整制御することにより、気泡混じり温水を噴霧流やスラグ流、プラグ流などの気液二相流として、身体の患部とその症状に応じた圧迫や振動の強弱を与え得る効果がある。
【００３１】
又、請求項６の構成を採用するならば、温水の温度を使用者の体温よりも高い一定温度として、例えば入浴に適当な約３８℃〜約４４℃に保つことができ、その患部へ効果的な温熱作用を与え得るのである。
【００３２】
更に、請求項７の構成を採用するならば、その包袋の就中内袋又は内膜を患部の表面形状に作用されることなく、常時安定良く密着させて、その気泡混じり温水による圧迫と振動並びに温熱の複合的なマッサージ作用を、ロスなく患部へ伝播させることができる。
【００３３】
しかも、同じく包袋の外膜は上記内袋又は内膜の膨張圧力に耐えて、これを拘束状態に固定維持するため、例えばその外膜に付属させたベルトや面ファスナーなどの固定用具を、身体の患部へ巻き付けることにより、誰でも支障なく便利に使用することができる。
【発明を実施するための最良の形態】
【００３４】
以下、図面に基いて本発明の具体的構成を詳述すると、そのマッサージ装置の全体を示した図１において、（Ｔ）は貯水の加熱源となる電気ヒーター（１）を備えた温水貯溜槽であり、好ましくは図例のような足温器を兼ねた約１００リットルの容量として、屋内の床面やその他の適当な使用場所に据え付け固定される。
【００３５】
（２）はその内部の安全用横仕切り板、（３）は同じく後述する循環ポンプへの空気咬み込み防止用縦仕切り板であり、その何れもパンチングメタルなどの多孔板から成る。（４）は温水貯溜槽（Ｔ）の上面開閉蓋を示唆している。
【００３６】
他方、（Ｐ）は身体における膝や肘、肩、腰、脚、足首、手首などの目的部位（特定患部）（Ｍ）へ、着脱自在に被着使用されるマッサージ端末としての包袋であって、図２、３に抽出するような患部（Ｍ）へ気密・水密状態にフィットし得る薄肉（例えば約０．２〜約０．６mm）なゴムなどの伸縮性に富むドーナツ状の内袋（５）と、その内袋（５）の膨張圧力に耐える強度（抗張性）を備えた厚肉な布や皮革、合成樹脂などのドーナツ状外膜（６）とから成り、その外膜（６）に付属しているベルトや面ファスナーなどの固定用具（７）を、患部（Ｍ）へ巻き付け一体化するようになっている。
【００３７】
但し、このような自身の中空内部が後述の気泡混じり温水流路（Ｓ）を形作る内袋（５）と、これを拘束状態に固定する外膜（６）とから結合一体化される二重構造に代えて、図４の第１変形実施形態に示す如く、上記伸縮性に富むドーナツ状の内膜（５ａ）を、やはりドーナツ状の抗張性外膜（６ａ）と縁取り固定片（８）により挟み付け袋化し、その内膜（５ａ）と外膜（６ａ）との内外相互間を気泡混じり温水流路（Ｓ）として区成しても良い。
【００３８】
又、図１〜４に示した上記包袋（Ｐ）では、そのドーナツ状の内袋（５）や内膜（５ａ）によって包囲される中心口へ、使用者が身体の患部（Ｍ）を差し入れるようになっているが、図５、６の第２変形実施形態から明白なように、上記内袋（５）と外膜（６）とを予じめ展開状態に結合一体化しておき、これをその外膜（６）に付属しているベルトや面ファスナーなどの固定用具（７）によって、身体の患部（Ｍ）へ巻き付け固定するように定めることができ、更に肩や腰などの患部（Ｍ）如何では、このような包袋（Ｐ）を展開状態のままで、その患部（Ｍ）へ被着一体化させても良い。
【００３９】
何れにしても、上記包袋（Ｐ）にはその狭隘な気泡混じり温水流路（Ｓ）への温水流入ホース接続口筒（９）と、同じく気泡混じり温水流路（Ｓ）からの温水流出ホース接続口筒（１０）とが設置されており、その気泡混じり温水流路（Ｓ）を形作っている上記内袋（５）や内膜（５ａ）が、あたかもダイアフラム（非金属の弾性膜）の如く身体の患部（Ｍ）へ密着して、その気泡混じり温水（Ｆ）の内圧による圧迫と温熱並びに振動を、患部（Ｍ）へ効率良く伝播することになる。
【００４０】
その場合、上記包袋（Ｐ）を図７の第３変形実施形態に示す如く、その付属する縁取り吸着バンド（１１）などによって、身体の患部（Ｍ）へ気密・水密状態に被着一体化できるならば、その患部（Ｍ）と包袋（Ｐ）との相互間隙を気泡混じり温水流路（Ｓ）として、ここへ気泡混じりの温水（Ｆ）を流入させることにより、上記圧迫と温熱並びに振動を患部（Ｍ）へ言わば直かに付与しても良く、その温水（Ｆ）へ薬効のある温泉成分や入浴剤などを溶かし込むことも可能である。
【００４１】
そして、このようなマッサージ端末の包袋（Ｐ）と上記温水貯溜槽（Ｔ）とは、適当な長さの温水循環回路（Ｒ）を介して接続配管されており、その貯溜槽（Ｔ）内の温水（Ｆ）が後述する気泡混じりのそれとして、図１の矢印で示すように上記包袋（Ｐ）の温水流路（Ｓ）へ流入され、身体の患部（Ｍ）をマッサージ作用した後、その気泡混じり温水流路（Ｓ）から流出して、同じく温水貯溜槽（Ｔ）内へ帰還するようになっている。
【００４２】
即ち、上記温水貯溜槽（Ｔ）内の温水（Ｆ）は使用者の体温よりも高い一定温度、好ましくは入浴に適当な約３８℃〜約４４℃に保温されている。上記温水循環回路（Ｒ）における温水貯溜槽（Ｔ）から包袋（Ｐ）に向かう上流側の途中には、温度センサー（１２）が介挿設置されており、その検知した現在温度を図外の温度コントローラーにより、予じめの設定目標温度と比較して、上記電気ヒーター（１）のオン・オフ制御を行なうようになっているのである。
【００４３】
上記温水循環回路（Ｒ）のうち、その上流側には温水貯溜槽（Ｔ）から順次温水の強制循環ポンプ（１３）とヘッダータンク（１４）並びに気泡混じり温水生成器（１５）が介挿設置されており、先ず温水貯溜槽（Ｔ）から循環ポンプ（１３）の温水吸入管（１６）を経て吸い出された温水（Ｆ）は、その循環ポンプ（１３）の温水吐出管（１７）を通じて、ヘッダータンク（１４）へ圧送されることになる。（１８）はポンプ吐出圧逃し管、（１９）はその途中に介在するポンプ吐出圧逃し弁である。
【００４４】
（２０）はヘッダータンク（１４）から導出された温水分配管であり、その先端部に上記気泡混じり温水生成器（１５）が連通接続されている。（２１）はその温水分配管（２０）の途中に介在する圧力計、（２２）は予備となる複数の温水分配管接続口筒であって、上記ヘッダータンク（１４）に並列設置されており、これによれば同じ使用者の別な特定患部（Ｍ）をも併せてマッサージできる点で、その利便性が昂まる。
【００４５】
上記気泡混じり温水生成器（１５）は、図１の場合エゼクターとして具体化されており、そのノズル（２３）から噴出する温水（Ｆ）の牽引作用によって、空気取入れ口（２４）から空気を吸入し、その気泡混じりの温水（Ｆ）としてディフューザー（２５）から気泡混じり温水吐出管（２６）へ、高速に圧送する。
【００４６】
この点、図例では上記空気取入れ口（２４）を空気取入れ管（２７）により、温水貯溜槽（Ｔ）内の上部空間へ連通接続して、その上部空間に滞溜している暖気を吸入するようになっている。これによれば、温水（Ｆ）の温度低下を予防できる利点があるが、大気を吸入するように開口形成してもさしつかえない。（２８）はその空気取入れ管（２７）の途中に介挿設置された空気取入れ量調整ダンパーである。尚、先に一言した温度センサー（１２）は気泡混じり温水吐出管（２６）の途中に介在している。
【００４７】
又、（２９）はその気泡混じり温水吐出管（２６）の先端部に設置された安全弁、（３０）はこれから気泡混じり温水流量調整弁（３１）を介して導出されたフレキシブルな気泡混じり温水流入ホースであり、上記包袋（Ｐ）の対応的な接続口筒（９）へ、好ましくは着脱自在に連通接続されている。（３２）は同じく安全弁（２９）から別に導出された圧力放出管であり、その先端部が上記温水貯溜槽（Ｔ）内の上部空間に臨んでいる。
【００４８】
更に、上記マッサージ端末の包袋（Ｐ）から温水貯溜槽（Ｔ）への下流側はフレキシブルな気泡混じり温水流出ホース（３３）として、その一端部が温水貯溜槽（Ｔ）内の上部空間に臨んでおり、同じく他端部が上記包袋（Ｐ）の対応する接続口筒（１０）へ、やはり好ましくは着脱自在に連通接続されている。（３４）はその途中に介挿設置された患部圧迫用圧力調整弁である。
【００４９】
尚、本発明のマッサージ装置を実用化する場合には、図１の気泡混じり温水流量調整弁（３１）から包袋（Ｐ）の温水流入ホース接続口筒（９）に至るフレキシブルな気泡混じり温水流入ホース（３０）と、患部圧迫用圧力調整弁（３４）から同じく包袋（Ｐ）の温水流出ホース接続口筒（１０）に至るフレキシブルな気泡混じり温水流出ホース（３３）とを除く全体は、温水貯溜槽（Ｔ）と剛性に接続配管された１台の装置ユニット（Ｕ）として組み立て、その装置ユニット（Ｕ）を自在車輪（３５）により使用場所の変更自由に設定することが好ましい。
【００５０】
又、このような１台の装置ユニット（Ｕ）を図８に例示する椅子式マッサージ装置のオプションとして、その据付け台部へ固定設置する一方、身体の患部（Ｍ）に被着使用される包袋（Ｐ）と、その装置ユニット（Ｕ）の温水貯溜槽（Ｔ）とを図１と同じく、フレキシブルな気泡混じり温水流入ホース（３０）並びに流出ホース（３３）によって連通接続することも可能である。
【００５１】
図１に基き説示した構成のマッサージ装置を用いて、身体の特定患部（Ｍ）（図例では膝）をマッサージするに当っては、その裸状態の脚を上記包袋（Ｐ）におけるドーナツ状内袋（５）の中心口へ差し入れて、その包袋（Ｐ）を拘束状態に固定すべく、同じく外膜（６）の固定用具（７）を患部（Ｍ）へ巻き付け一体化すると共に、足を温水貯溜槽（Ｔ）内の温水（Ｆ）に漬ける。
【００５２】
これと相前後して、フレキシブルな気泡混じり温水流入ホース（３０）と流出ホース（３３）とを、上記包袋（Ｐ）における対応的なホース接続口筒（９）（１０）へ連通接続させて、その包袋（Ｐ）と上記温水貯溜槽（Ｔ）との温水循環回路（Ｒ）を形作った上、温水循環ポンプ（１３）を運転する。
【００５３】
そして、患部圧迫用圧力調整弁（３４）を全開状態に保ち、圧力計（２１）を確認し乍ら、気泡混じり温水流量調整弁（３１）と空気取入れ量調整ダンパー（２８）とを順次徐々に大きく開いてゆけば、気泡混じり温水生成器（１５）により生成された気泡混じりの温水（Ｆ）が所謂気液二相流として、上記包袋（Ｐ）の気泡混じり温水流路（Ｓ）内へ圧送され、その充満状態となる。
【００５４】
その際、上記気泡混じり温水流量調整弁（３１）の開度を上げたり、或いは空気取入れ量調整ダンパー（２８）の開度を上げたりすることによって、上記包袋（Ｐ）の気泡混じり温水流路（Ｓ）に対する気泡の流入量を増すことができ、他方患部圧迫用圧力調整弁（３４）の開度を下げることにより、上記包袋（Ｐ）の内圧を上昇させて、患部（Ｍ）に作用する圧迫力を強化することもできる。
【００５５】
その包袋（Ｐ）の温水流路（Ｓ）に対する温水流入ホース接続口筒（９）は、これを身体の患部（Ｍ）と直面する方向並びに位置関係として固定維持することが望ましい。
【００５６】
このように使用すれば、上記包袋（Ｐ）の気泡混じり温水流路（Ｓ）へ圧送された気泡混じりの温水（Ｆ）が、その伸縮性に富む内袋（５）を介して、身体の患部（Ｍ）へ圧迫力として作用することになる。
【００５７】
又、気泡と温水（Ｆ）は交互に且つ連続して身体の患部（Ｍ）へ衝突し、これが患部（Ｍ）へ振動作用を与えることになる。更に言えば、気泡が衝突した後、引き続き温水（Ｆ）が衝突する際に、温水（Ｆ）それ自体の有する運動エネルギーが、患部（Ｍ）への打撃力として発揮されるのである。
【００５８】
しかも、温水（Ｆ）はその文字通りの温熱状態に保たれているため、結局上記気泡混じりの温水（Ｆ）による圧迫と振動並びに温熱の複合したマッサージ作用が、そのマッサージ端末である包袋（Ｐ）の限られた狭い内部において、身体の患部（Ｍ）へ一挙同時に且つ集中的に付与されることとなり、その患部（Ｍ）の血行促進と、延いては痺れ、痛み、懲り、疲労、浮腫みなどの諸症状を確実に緩和できるのである。
【００５９】
殊更、気泡混じりの温水（Ｆ）中に占める気泡の容積比率を、その気泡サイズにもよるが、総じて約５％〜約８０％に設定するならば、一層効果的なマッサージ作用を得ることができる。茲に、その気泡の容積比率が５％未満であると、上記包袋（Ｐ）の内部における圧力の粗密変化に乏しく、逆に気泡の容積比率が８０％を越えると、同じく包袋（Ｐ）の内部における温水の平均質量が過少となり、何れも上記マッサージ作用効果を低下させる。
【００６０】
図１のマッサージ装置では、エゼクターから成る気泡混じり温水生成器（１５）を示したが、図９の変形実施形態から明白なように、上記空気取入れ口（２４）へ別な圧縮空気取入れ管（３６）を介して、コンプレッサー（３７）を連通接続することにより、そのコンプレッサー（３７）から圧縮空気を強制的に取り入れて、上記気泡混じりの温水（Ｆ）を生成しても良い。
【００６１】
その場合、図１の上記空気取入れ管（２７）に介在する空気取入れ量調整ダンパー（２８）を閉止することは言うまでもない。（３８）（３９）（４０）は上記圧縮空気取入れ管（３６）の途中に介挿設置された減圧弁と流量計並びに流量調整弁である。尚、図４〜９に示した各種変形実施形態におけるその他の構成は、図１〜３の上記基本実施形態と実質的に同一であるため、その図４〜９に図１〜３との対応符号を記入するにとどめて、その詳細な説明を省略する。
【００６２】
上記コンプレッサー（３７）からの圧縮空気取り入れ方式を採用するならば、温水（Ｆ）の流量と無関係に気液混合比を調整でき、しかもスラグ流と称する大きな気泡をマッサージ端末の包袋（Ｐ）へ流入させることにより、身体の患部（Ｍ）へ強い振動作用を付与し得ることになる。
【００６３】
又、図１の上記温水循環ポンプ（１３）を所謂気液二相流ポンプとして、その温水吸入口付近から空気も一緒に吸入し、気泡混じりの温水（Ｆ）として吐出させる方式を採用することもでき、これによれば気泡サイズが小さくなるため、身体の患部（Ｍ）へ比較的弱く緩やかな振動作用を与えられる。
【００６４】
このような身体の患部（Ｍ）へ与える振動作用の強弱は、上記温水循環回路（Ｒ）の就中気泡混じり温水生成器（１５）から温水流入ホース（３０）を経て、包袋（Ｐ）内の気泡混じり温水流路（Ｓ）へ流入する温水（Ｆ）と空気の流速を調整することによっても得ることができ、その噴霧流やスラグ流、プラグ流などの気液二相流を生成させれば良い。
【００６５】
更に、図１のマッサージ装置では患部圧迫用圧力調整弁（３４）と気泡混じり温水流量調整弁（３１）並びに空気取入れ量調整ダンパー（２８）を、その何れも手動によって調整操作するようになっているが、これらを図外の圧力センサーや流量センサー、タイマーなどからの検知出力信号に基き、コントローラー（シーケンサー）により自働電気的に調整制御するように設定しても良い。上記温水循環ポンプ（１３）の回転数もインバーターによって制御することができる。
【図面の簡単な説明】
【００６６】
【図１】本発明に係るマッサージ装置の全体を示す配管系統図である。
【図２】図１の２−２線に沿う拡大断面図である。
【図３】図１の包袋を分解して示す断面図である。
【図４】包袋の第１変形実施形態を示す図３に対応する断面図である。
【図５】同じく包袋の第２変形実施形態を示す斜面図である。
【図６】図５の使用状態を示す図２に対応する断面図である。
【図７】包袋の第３変形実施形態を示す使用状態の断面図である。
【図８】椅子式マッサージ装置に適用した本発明の概略説明図である。
【図９】気泡混じり温水生成器の変形実施形態を示す図１に対応する配管系統図である。
【符号の説明】
【００６７】
（１）・電気ヒーター
（５）・内袋
（５ａ）・内膜
（６）（６ａ）・外膜
（７）・固定用具
（８）・縁取り固定片
（９）・温水流入ホース接続口筒
（１０）・温水流出ホース接続口筒
（１１）・縁取り吸着バンド
（１２）・温度センサー
（１３）・温水循環ポンプ
（１４）・ヘッダータンク
（１５）・気泡混じり温水生成器
（２０）・温水分配管
（２１）・圧力計
（２２）・温水分配管接続口筒
（２３）・ノズル
（２４）・空気取入れ口
（２５）・ディフューザー
（２６）・気泡混じり温水吐出管
（２７）・空気取入れ管
（２８）・空気取入れ量調整ダンパー
（２９）・安全弁
（３０）・温水流入ホース
（３１）・温水流量調整弁
（３３）・温水流出ホース
（３６）・圧縮空気取入り管
（３７）・コンプレッサー
（３８）・減圧弁
（３９）・流量計
（４０）・流量調整弁
（Ｆ）・温水
（Ｍ）・身体の患部
（Ｐ）・包袋（マッサージ端末）
（Ｒ）・温水循環回路
（Ｓ）・気泡混じり温水流路
（Ｔ）・温水貯溜槽
（Ｕ）・装置ユニット
【図１】
2005245707.tif 000003
【図２】
2005245707.tif 000004
【図３】
2005245707.tif 000005
【図４】
2005245707.tif 000006
【図５】
2005245707.tif 000007
【図６】
2005245707.tif 000008
【図７】
2005245707.tif 000009
【図８】
2005245707.tif 000010
【図９】
2005245707.tif 000011